(57)【要約】【課題】  画像を拡大して表示した際に、前記画像の全てを容易に且つ確実に確認することができるようにする。【解決手段】  検査対象となる元画像の画素数と、表示手段（モニタ）１２の解像度とを比較して、２つの低解像度モニタ設定パタンと、２つの高解像度モニタ設定パタンとの合計４つの表示順序パタンの中から、前記元画像を余すところ無く表示できる表示順序パタンを選択し、選択した表示順序パタンで元画像の一部の領域を、操作者の指示手段（スペースキー）１５の操作に従って、順次切り替え表示する。【選択図】  図１
2005141168.tif 000002
【特許請求の範囲】
【請求項１】
画像を表示する表示手段と、
前記画像の表示順序を決定する表示順序決定手段と、
前記表示順序決定手段により決定された表示順序で、前記画像の一部の領域を前記表示手段に順次表示させる第１の表示制御手段とを有し、
前記第１の表示制御手段は、前記画像の１画素を、前記表示手段の１画素又は複数画素に表示させることを特徴とする画像表示装置。
【請求項２】
前記表示手段への表示を指示するためにユーザにより指示入力される指示入力手段を有し、
前記第１の表示制御手段は、前記指示入力手段を用いて行われた指示入力に基づいて、前記画像の一部の領域を前記表示手段に順次表示させることを特徴とする請求項１に記載の画像表示装置。
【請求項３】
前記画像の全領域を前記表示手段に縮小表示させる第２の表示制御手段を有し、
前記指示入力手段を用いて行われた指示入力に基づいて、前記第１の表示制御手段による表示と、前記第２の表示制御手段による表示とを切り替えるようにしたことを特徴とする請求項２に記載の画像表示装置。
【請求項４】
前記第１の表示制御手段は、前記画像の一部の領域を順次表示させる際に、前記画像をスクロールして移動させることを特徴とする請求項１〜３の何れか１項に記載の画像表示装置。
【請求項５】
前記表示順序決定手段で決定される表示順序を設定する設定手段を有し、
前記表示順序決定手段は、前記画像の全体を余すところなく前記表示手段に表示できる表示順序を、前記設定手段により設定された表示順序の中から決定することを特徴とする請求項１〜４の何れか１項に記載の画像表示装置。
【請求項６】
画像の表示順序を決定する表示順序決定ステップと、
前記表示順序決定ステップにより決定された表示順序で、前記画像の一部の領域を表示手段に順次表示させる第１の表示制御ステップとを有し、
前記第１の表示制御ステップは、前記画像の１画素を、前記表示手段の１画素又は複数画素に表示させることを特徴とする画像表示方法。
【請求項７】
前記表示手段への表示を指示するために指示入力手段を用いてユーザにより行われた指示入力を受け付ける指示入力ステップを有し、
前記第１の表示制御ステップは、前記指示入力ステップで受け付けられた指示入力に基づいて、前記画像の一部の領域を前記表示手段に順次表示させることを特徴とする請求項６に記載の画像表示方法。
【請求項８】
前記画像の全領域を前記表示手段に縮小表示させる第２の表示制御ステップを有し、
前記指示入力手段を用いてユーザにより行われた指示入力に基づいて、前記第１の表示制御ステップによる表示と、前記第２の表示制御ステップによる表示とを切り替えるようにしたことを特徴とする請求項７に記載の画像表示方法。
【請求項９】
前記第１の表示制御ステップは、前記画像の一部の領域を順次表示させる際に、前記画像をスクロールして移動させることを特徴とする請求項６〜８の何れか１項に記載の画像表示方法。
【請求項１０】
前記表示順序決定ステップで決定される表示順序を設定する設定ステップを有し、
前記表示順序決定ステップは、前記画像の全体を余すところなく前記表示ステップに表示できる表示順序を、前記設定ステップにより設定された表示順序の中から決定することを特徴とする請求項６〜９の何れか１項に記載の画像表示方法。
【請求項１１】
画像の表示順序を決定する表示順序決定ステップと、
前記表示順序決定ステップにより決定された表示順序で、前記画像の一部の領域を表示手段に順次表示させる第１の表示制御ステップとをコンピュータに実行させ、
前記第１の表示制御ステップは、前記画像の１画素を、前記表示手段の１画素又は複数画素に表示させることを特徴とするコンピュータプログラム。
【請求項１２】
前記請求項１１に記載のコンピュータプログラムを記録したことを特徴とするコンピュータ読み取り可能な記録媒体。
【請求項１３】
画像を表示する表示手段と、
前記表示手段の情報に基づいて、１つの画像を複数の表示領域に分割し、分割された複数の表示領域を切り替え表示する表示制御手段とを有し、
前記表示制御手段は、前記画像の１画素が前記表示手段の１画素以上となるように、１つの画像を複数の表示領域に分割することを特徴とする画像表示装置。
【請求項１４】
ユーザが表示切替を指示する指示手段を有し、
前記表示制御手段は、ユーザからの表示切替指示にしたがって、前記複数の表示領域を順次切り替え表示させることを特徴とする請求項１３に記載の画像表示装置。
【請求項１５】
表示装置に画像を表示する画像表示方法において、
前記表示装置の情報に基づいて、１つの画像を複数の表示領域に分割し、分割された複数の表示領域を切り替え表示するものであって、
前記画像の１画素が前記表示手段の１画素以上となるように、１つの画像を複数の表示領域に分割することを特徴とする画像表示方法。
【請求項１６】
ユーザの所定の操作によって、前記複数の表示領域を順次切り替え表示させることを特徴とする請求項１５に記載の画像表示方法。
【発明の詳細な説明】
【技術分野】
【０００１】
本発明は、画像表示装置、画像表示方法、コンピュータプログラム、及びコンピュータ読み取り可能な記録媒体に関し、特にデジタル画像を表示するために用いて好適なものである。
【背景技術】
【０００２】
本発明は、デジタル画像全般に対して適用することが可能であるが、医療用デジタル画像に関する従来技術が、発明の趣旨の理解を助けるので、まずその説明を行う。
【０００３】
近年、固体撮像素子等を用いたＸ線撮影が開発されてきており、Ｘ線画像をデジタル画像として撮影し、読み取るようにすることが徐々に始まってきている。このようなＸ線画像をデジタル画像として撮影するＸ線画像デジタル撮影装置を利用すると、既に撮影された画像のコントラストの調整や、失敗撮影の再撮影が可能となり、画質の安定化を図れる。
また、Ｘ線画像デジタル撮影装置を利用すると、デジタル画像が出力される。最近では、デジタル画像をプリンタに出力せずにオンラインで保存し、保存したデジタル画像をモニタなどの表示装置で参照することが主流となってきている。
【０００４】
しかしながら、デジタル画像を参照する際に利用されるモニタの表示解像度は、一般に、Ｘ線画像デジタル撮影装置における画像の解像度より低い。例えば、Ｘ線画像デジタル撮影装置における画像の解像度は、横１６００画素、縦２０００画素なのに対し、モニタの表示解像度は、横１０２４画素、縦１２８０画素が最高解像度であり、モニタの表示解像度がＸ線画像デジタル撮影装置における画像の解像度よりも低い場合が多い。
このようなことから、従来は、デジタル画像の情報の全てをモニタに表示することができず、デジタル画像を縮小処理して表示していた。しかしながら、デジタル画像を縮小処理すると、縮小処理したデジタル画像は、元のデジタル画像と比較して、画像情報が欠落したものとなる。このため、縮小処理したデジタル画像では、撮影したときの情報を完全にモニタに表示していないことになる。したがって、医師は、誤診につながることを憂慮し、デジタル画像の１ピクセルを、モニタの１ピクセルとなるように表示する、もしくはデジタル画像の１ピクセルを、モニタの１ピクセルより多いピクセルで表示しようとする。すなわち、デジタル画像を拡大してモニタに表示しようとする。このような場合、医師は、マウスなどを操作して、デジタル画像を移動させて、モニタに表示されていない（隠れている）部分を表示させるようにするなどの手法を採っていた（例えば特許文献１を参照）。
【０００５】
また、前記Ｘ線画像デジタル撮影装置と同様に、デジタルカメラも高画質化しており、デジタルカメラで撮影した画像を一度にモニタに表示しきれないことがある。したがって、デジタルカメラで撮影した画像を参照する場合においても、前述した医療用デジタル画像を参照する場合と同様の手法を採っていた。
【０００６】
【特許文献１】特開昭６１−２４０７６７号公報
【発明の開示】
【発明が解決しようとする課題】
【０００７】
しかしながら、デジタル画像を拡大して表示させることによってモニタから隠れてしまった部分を表示させるための操作は煩雑であった。したがって、ユーザが、デジタル画像の一枚一枚を確実に処理することが、困難であるという課題があった。さらに、マウスなどの入力装置を用いて、デジタル画像をマニュアルで移動する手法では、元のデジタル画像の全てを確実に、隅々まで目を通したか否かについても人間の感覚で行わなければならなかった。したがって、元のデジタル画像の全てを確実に確認することが困難であるという課題があった。
【０００８】
本発明は、前述の問題点に鑑みてなされたものであり、画像を拡大して表示した際に、前記画像の全てを容易に且つ確実に確認することができるようにすることを目的とする。
【課題を解決するための手段】
【０００９】
本発明の画像表示装置は、画像を表示する表示手段と、前記画像の表示順序を決定する表示順序決定手段と、前記表示順序決定手段により決定された表示順序で、前記画像の一部の領域を前記表示手段に順次表示させる第１の表示制御手段とを有し、前記第１の表示制御手段は、前記画像の１画素を、前記表示手段の１画素又は複数画素に表示させることを特徴とする。
また、本発明の他の特徴とするところは、画像を表示する表示手段と、前記表示手段の情報に基づいて、１つの画像を複数の表示領域に分割し、分割された複数の表示領域を切り替え表示する表示制御手段とを有し、前記表示制御手段は、前記画像の１画素が前記表示手段の１画素以上となるように、１つの画像を複数の表示領域に分割することを特徴とする。
【００１０】
本発明の画像表示方法は、画像の表示順序を決定する表示順序決定ステップと、前記表示順序決定ステップにより決定された表示順序で、前記画像の一部の領域を表示手段に順次表示させる第１の表示制御ステップとを有し、前記第１の表示制御ステップは、前記画像の１画素を、前記表示手段の１画素又は複数画素に表示させることを特徴とする。
また、本発明の他の特徴とするところは、表示装置に画像を表示する画像表示方法において、前記表示装置の情報に基づいて、１つの画像を複数の表示領域に分割し、分割された複数の表示領域を切り替え表示するものであって、前記画像の１画素が前記表示手段の１画素以上となるように、１つの画像を複数の表示領域に分割することを特徴とする。
【００１１】
本発明のコンピュータプログラムは、画像の表示順序を決定する表示順序決定ステップと、前記表示順序決定ステップにより決定された表示順序で、前記画像の一部の領域を表示手段に順次表示させる第１の表示制御ステップとをコンピュータに実行させ、前記第１の表示制御ステップは、前記画像の１画素を、前記表示手段の１画素又は複数画素に表示させることを特徴とする。
【００１２】
本発明のコンピュータ読み取り可能な記録媒体は、前記記載のコンピュータプログラムを記録したことを特徴とする。
【発明の効果】
【００１３】
本発明によれば、画像の１画素を、表示手段の１画素又は複数画素に表示させるようにするに際し、前記画像の表示順序を決定し、決定した表示順序で、前記画像の一部の領域を前記表示手段に順次表示させるようにしたので、前記画像の一部の領域が、決められた順序で順次表示されることになる。したがって、前記画像のどの領域が表示されているのかを容易に判断することができ、前記画像を容易に且つ確実に確認することができるようになる。
また、本発明の他の特徴によれば、指示入力手段を用いてユーザにより行われた指示入力に基づいて、前記画像の一部の領域を前記表示手段に順次表示させるようにしたので、ユーザの操作に基づいて、前記画像の一部の領域が、決められた順序で順次表示されることになる。これにより、前記画像の一部の領域を順次表示させる際の操作が簡単になり、より容易に且つ確実に画像を確認することができるようになる。
【発明を実施するための最良の形態】
【００１４】
次に、図面を参照しながら、本発明の実施形態について説明する。
以下の実施形態では、Ｘ線画像撮影装置より撮影された画像データを受信して保存し、保存した画像データの表示を行う画像表示装置を一例に挙げて説明する。ただし、画像表示装置で表示する画像は、Ｘ線画像撮影装置より撮影された画像データに限定されず、デジタルカメラ等により撮影された画像データであってもよいということは勿論である。
【００１５】
（第１の実施形態）
図１は、本実施形態の画像表示装置の構成の一例を示したブロック図を示している。
【００１６】
本実施形態の画像表示装置は、Ｘ線画像撮影装置で撮影された最大横１６００画素×最大縦２０００画素からなる医用画像データを記憶するおよそ１２０ギガのハードディスクで構成された画像記憶手段１１と、横１０２４画素×縦１２８０画素のモニタである表示手段１２と、最大横１６００画素×最大縦２０００画素からなる医用画像データを表示手段１２に、どの様な順序で表示するかを設定する設定手段１３と、この設定に基づき、医用画像データのどの領域を切り出し、切り出した各領域をどの順序で表示するか決定する表示順序決定手段１４と、この切り出した領域の表示を指示する指示手段１５と、指示手段１５からの指示に基づいて、表示順序決定手段１４で決定された順序に従って、画像記憶手段１１内の医用画像データを表示手段１２に表示することを管理、制御する表示制御手段１６とを備えて構成される。
【００１７】
なお、表示手段１２として設けられるモニタとしては、ユーザの選択によって横７６８画素×縦１０２４画素から成る低解像度モニタが利用される場合もある。
また、設定手段１３、表示順序決定手段１４、表示制御手段１６は、後述する機能を実現するためのプログラムを実行処理するＣＰＵと、前記プログラムが記録されたＲＯＭと、前記ＣＰＵが前記プログラムを実行する際のワークエリアとして機能するＲＡＭとを備えて構成されるコンピュータシステムなどを用いて実現することができる。また、指示手段１５は、マウスやキーボードなどのインターフェースやＧＵＩ（グラフィックユーザインターフェース）などを用いて実現することができる。
【００１８】
次に、本実施形態の画像表示装置の動作について説明する。
図２及び図３は、画像記憶手段１１に記憶された医用画像データを表示する際の、設定手段１３の設定オプションを説明する図である。
本実施形態では、横１０２４画素×縦１２８０画素のモニタを高解像度モニタとし、横７６８画素×縦１０２４画素を低解像度モニタとしている。前述したように、本実施形態では、元画像は横１６００画素×縦２０００画素が最大であるため、横１０２４画素×縦１２８０画素のモニタである高解像度モニタを利用しているユーザは、元画像を余すところ無く表示する場合、多くの表示順序パタンを選択することが可能であるが、本実施形態では、ユーザにとって利便性あるパタンである２つの表示順序パタンを用意している。すなわち、図２（ａ）に示す第１の高解像度モニタ設定パタンと、図２（ｂ）に示す第２の高解像度モニタ設定パタンを用意している。なお、いずれのパタンにおいても、始めに、元画像を縮小して全体像を表示するステップがあり、これもパタンとして加わっている。図２（ａ）に示す第１の高解像度モニタ設定パタンは、元画像の左上、左下、右上、右下の順に切り替えて元画像の一部を順次表示し、元画像を余すところ無く表示していくパタンである。一般に医師は、『の』の字を描くように診断すると言われている。従って、図２（ｂ）に示すように、元画像の左下、左上、右上、右下の順に切り替えて元画像の一部の領域を順次表示し、元画像を余すところ無く表示していく第２の高解像度設定パタンも設定できるようになっている。
【００１９】
同様に、横７６８画素×縦１０２４画素のモニタである低解像度モニタを利用しているユーザは、２つの表示順序パタンのうちのいずれかを設定することができるようになっている。すなわち、図３（ａ）に示す第１の低解像度モニタ設定パタンと、図３（ｂ）に示す第２の低解像度モニタ設定パタンのいずれかのパタンを設定できるようになっている。図３（ａ）に示す第１の低解像度モニタ設定パタンは、元画像の左上、左下、上中央、下中央、右上、右下の順に切り替えて元画像の一部の領域を順次表示し、元画像を余すところ無く表示していくパタンである。また、図３（ｂ）に示す第２の低解像度モニタ設定パタンは、元画像の下中央、左下、左上、上中央、右上、右下の順に切り替えて元画像の一部の領域を順次表示し、元画像を余すところ無く表示していくパタンである。この図３（ｂ）に示した第２の低解像度モニタ設定パタンは、まさしく『の』の字を描くように移動するパタンである。
【００２０】
このような表示順序パタンを設定手段１３で登録した後、ユーザは、指示手段１５を用いて検査画像の表示を指示するとともに、先に指定した設定手段１３の設定オプションに従って１つの表示順序パタンを選択する。そして、ユーザは、指示手段１５であるキーボードのスペースキーを押下すると、前記選択した表示順序パタンに従って画像表示が順次切り替る。
【００２１】
図５は、図２（ｂ）に示した第２の高解像度モニタ設定パタンが選択され、横１０２４画素×縦１２８０画素のモニタを高解像度モニタで表示する場合の表示順序例を示した図である。
【００２２】
図５に示すように、まず、元画像の縮小して全体像を表示が行われ、その後、第２の高解像度モニタ設定パタンで設定されている表示順次に従い部分画像が順次表示されていく。最後の画像（右下の画像）を表示し終えたら、再び最初の縮小表示を行う。なお、指示手段１５であるキーボードのエスケープキーが押下されると、この表示モードから抜け出し、バックスペースキー（Back Spaceキー）押下されると、図５に示した表示順序と逆の順序で表示が切り替る。
【００２３】
なお、図４に示すように、本実施形態では、表示手段（モニタ）１２の画素数が、元画像の画素数以上である場合には、前述した表示順序パタンに従った表示を行わず、元画像全体を縮小せずに一度に表示手段（モニタ）１２に表示する一枚表示を行う。
【００２４】
図６は、表示順序決定手段１４における処理の一例を説明するフローチャートである。本処理は、表示手段（モニタ）１２の解像度及び表示するデジタル画像を決定する時に処理が行われる。すなわち、表示する画像を選択し、選択した画像を表示しようとする直前で処理が行われる。
まず、ステップＳ６０１において、現在利用している表示手段（モニタ）１２の解像度の高さＭＨと、幅ＭＷを取得する。
次に、ステップＳ６０２において、表示しようとするデジタル画像の幅ＩＷ、高さＩＨを取得する。
【００２５】
次に、ステップＳ６０３において、表示しようとするデジタル画像が、表示手段（モニタ）１２で縮小せずにそのまま一度に表示できるか否かを判定する。すなわち、表示しようとするデジタル画像の幅ＩＷが、現在利用している表示手段（モニタ）１２の解像度の幅ＭＷよりも小さく、且つ表示しようとするデジタル画像の高さＩＨが、現在利用している表示手段（モニタ）１２の解像度の高さＭＨよりも小さいか否かを判定する。この判定の結果、デジタル画像をそのまま一度に表示出来る場合（ＩＷ＜ＭＷ且つＩＨ＜ＭＨの場合）には、ステップＳ６０８に進み、表示手段（モニタ）１２の１画素をデジタル画像の１画素として、デジタル画像全体を表示手段（モニタ）１２に一度に表示する（図４の一枚表示）。
【００２６】
一方、デジタル画像をそのまま一度に表示出来ない場合には、ステップＳ６０４に進む。ステップＳ６０４では、高解像度モニタ設定パタンの幅方向について余すところ無くデジタル画像を表示できるか否かを計算（判定）する。すなわち、表示しようとするデジタル画像の幅ＩＷが、現在利用している表示手段（モニタ）１２の解像度の幅ＭＷの２倍よりも小さいか否かを判定する。この計算（判定）の結果、幅方向について余すところ無くデジタル画像を表示できない（ＩＷ≧ＭＷ×２の場合）場合には、ステップＳＳ６０５に進み、ユーザにより選択された低解像度モニタ設定パタンを利用する。
【００２７】
一方、幅方向について余すところ無くデジタル画像を表示できる場合（ＩＷ＜ＭＷ×２の場合）には、ステップＳ６０６に進み、高解像度モニタ設定パタンの高さ方向について余すところ無くデジタル画像を表示できるか否かを計算（判定）する。すなわち、表示しようとするデジタル画像の高さＩＨが、現在利用している表示手段（モニタ）１２の解像度の高さＭＨの２倍よりも小さいか否かを判定する。この計算（判定）の結果、高さ方向について余すところ無くデジタル画像を表示できない場合（ＩＨ≧ＭＨ×２の場合）には、前述したステップＳ６０５に進み、ユーザにより選択された低解像度モニタ設定パタンを利用する。
一方、高さ方向について余すところ無くデジタル画像を表示できる場合（ＩＨ＜ＭＨ×２の場合）は、ステップＳ６０７に進み、ユーザにより選択された高解像度モニタ設定パタンを利用する。
【００２８】
以上のような図６に示した処理を具体的に説明すると、低解像度設定パタンでも、まだデジタル画像を表示し切れないという場合もあるが、本実施形態では、元画像の最大画素は横１６００画素×縦２０００画素であり、低解像度モニタの解像度は、横７６８画素×縦１０２４画素である為、低解像度モニタ設定パタンであれば、余すところ無く表示が可能である。すなわち、種々の表示順序パタンを設定手段１３で設定することで、元画像の最大画素数に拘わらず、前記元画像を余すところ無く表示することができる。
【００２９】
図７は、表示制御手段１６における処理の一例を説明するフローチャートである。表示順序決定手段１６は、ユーザが指示手段１５を用いる等して、画像の表示指示を行うと、処理を開始する。本実施形態では、画像情報の一覧リストを表示手段１２に表示し、表示した一覧リストの中から、ユーザが指示手段１５等を用いて１つの画像情報を選択すると、処理を開始するようにしている。
まず、ステップＳ７０１において、図２及び図３に示したようにしてデジタル画像を順次表示しなくてもよいかどうかを判定する。この判定の結果、デジタル画像を順次表示しなくてもよい場合、すなわち、図４に示したように画像全体を１枚表示する場合には、ステップＳ７０２に進み、表示手段（モニタ）１２の１画素をデジタル画像の１画素として、デジタル画像全体を表示手段（モニタ）１２に一度に表示する。
一方、デジタル画像を順次表示する場合には、ステップＳ７０３に進み、図６に示した処理を行うことにより表示順序決定手段１４で決定されたパタンの先頭の画像領域（例えば図５の一番左の画像）を表示手段（モニタ）１２に表示する。
【００３０】
次に、ステップＳ７０４において、指示手段１５から指示入力がされるまで待機する（キー入力待ち状態となる）。このとき、スペースキー、バックスペースキー、及びエスケープキー（Ｅｓｃキー）のみの入力を受け付ける。
次に、ステップＳ７０５において、入力されたキーの種別を判定する。この判定の結果、スペースキーが入力されると、ステップＳ７０６に進み、現在表示しているデジタル画像が、表示順序決定手段１４で決定されたパタンの最終の画像領域（例えば図５の一番右の画像）であるか否かを判定する。この判定の結果、最終の画像領域で無い場合には、ステップＳ７０７に進み、表示順序決定手段１４で決定されたパタンで定められている順序で次の画像領域を表示手段（モニタ）１２に表示する。一方、最終画像である場合には、ステップＳ７０８に進み、表示順序決定手段１４で決定されたパタンの先頭の画像領域を表示手段（モニタ）１２に表示する。
【００３１】
また、前記ステップＳ７０４において、バックスペースキーが入力されると、ステップＳ７０９に進み、現在表示している画像が、表示順序決定手段１４で決定されたパタンの先頭の画像領域であるか否かを判定する。この判定の結果、先頭の画像領域でない場合には、ステップＳ７１０に進み、表示順序決定手段１４で決定されたパタンで定められている順序と逆の順序で次の画像領域を表示手段（モニタ）１２に表示する。一方、先頭画像である場合には、ステップＳ７１１に進み、表示順序決定手段１４で決定されたパタンの最終の画像領域を表示手段（モニタ）１２に表示する。
また、前記ステップＳ７０４において、エスケープキー（Ｅｓｃキー）が入力されるとである場合は、この閉ループより脱し、前記画像情報の一覧リストへ戻る。
【００３２】
以上のように本実施形態では、検査対象となる元画像の画素数と、表示手段（モニタ）１２の解像度とを比較して、２つの低解像度モニタ設定パタンと、２つの高解像度モニタ設定パタンとの合計４つの表示順序パタンの中から、前記元画像を余すところ無く表示できる表示順序パタンを選択し、選択した表示順序パタンで元画像の一部の領域を、操作者の指示手段（キーボードのスペースキー）１５の操作に従って、順次切り替え表示するようにしたので、撮影されたデジタルＸ線画像データの１ピクセルを表示手段（モニタ）１２の１ピクセル又は複数ピクセルに表示でき、且つ簡単な操作でデジタル画像を余すところなく確実に表示させることができる。したがって、本実施形態の画像表示装置を医療分野に導入すれば、診断速度の向上に繋がる効果がある。
【００３３】
（第２の実施形態）
次に、本発明の第２の実施形態について説明する。なお、本実施形態と前述した第１の実施形態とは、デジタル画像の遷移のさせ方が異なるだけであるので、前述した第１の実施の形態と同一の内容についての説明を省略する。
前述した第１の実施形態では、デジタル画像の遷移は、画像を切り替えることによって行うようにした。これに対し、本実施形態では、デジタル画像の一部の領域から、他の一部の領域へスムーズに移動させるようにしている。例えば、図５の左から２番目の表示状態から３番目の表示状態に遷移させる際には、表示中の画像を上方へ移動（スクロール）させる。そして、前記３番目の表示状態となったところで移動（スクロール）を停止させるようにする。
【００３４】
（第３の実施形態）
次に、本発明の第３の実施形態について説明する。なお、本実施形態と前述した第１及び第２の実施形態とは、表示順序パタンで定められている順序で表示させる画像の倍率が異なるだけであるので、前述した第１及び第２の実施の形態と同一の内容についての説明を省略する。
前述した第１の実施形態では、表示順序パタンで定められている順序で画像を表示させる際に、元画像の一部の領域を、元画像と同じ倍率で表示するようにした。これに対し、本実施形態では、元画像の一部の領域を拡大して表示させる。例えば、元画像の１ｃｍ角の領域が、丁度表示手段（モニタ）１２上の１ｃｍ角の領域となるように、元画像の一部の領域を拡大して表示させるようにすればよい。
なお、前述した各本実施形態では、ソフトウェア処理として説明を行ったが、その一部もしくは全てがハードウェア処理において達成されていても本発明の主旨をなんら違えるものではないということは勿論である。
【００３５】
（本発明の他の実施形態）
上述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００３６】
また、この場合、前記ソフトウェアのプログラムコード自体が上述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００３７】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれることは言うまでもない。
【００３８】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【図面の簡単な説明】
【００３９】
【図１】本発明の実施の形態を示し、画像表示装置の構成の一例を示したブロック図である。
【図２】本発明の実施の形態を示し、医用画像データを表示する際の、設定オプションの第１の例を説明する図である。
【図３】本発明の実施の形態を示し、医用画像データを表示する際の、設定オプションの第２の例を説明する図である。
【図４】本発明の実施の形態を示し、一枚表示された医用画像データの一例を示した図である。
【図５】本発明の実施の形態を示し、医用画像データの表示順序の一例を示した図である。
【図６】本発明の実施の形態を示し、表示順序決定手段における処理の一例を説明するフローチャートである。
【図７】本発明の実施の形態を示し、表示制御手段における処理の一例を説明するフローチャートである。
【符号の説明】
【００４０】
１１  画像記憶手段
１２  表示手段
１３  設定手段
１４  表示順序決定手段
１５  指示手段
１６  表示制御手段
【図１】
2005141168.tif 000003
【図２】
2005141168.tif 000004
【図３】
2005141168.tif 000005
【図４】
2005141168.tif 000006
【図５】
2005141168.tif 000007
【図６】
2005141168.tif 000008
【図７】
2005141168.tif 000009